(57)【要約】      （修正有）【課題】橋脚の張出し梁部を構築する際の足場となる支保構造体を、橋脚の柱部の周囲で安定した状態でスムーズに回転させることができると共に、施工現場で無理なく採用することのできる張出し梁部施工用回転支持構造を提供する。【解決手段】橋脚３０の柱部３２の周囲に組み立てられた支持架台１２の上端部に設置されて、足場となる支保構造体１１を回転可能に支持する回転支持構造であって、橋脚３０の柱部３２を内側に配置した状態で円環状に取り付けられる回転レール部材１３と、この回転レール部材１３に沿って回転移動可能に設けられた４体の移動ジャッキ装置１４と、４体の移動ジャッキ装置１４が回転レール部材１３に内接する仮想の長方形の角部分に配置されるように各移動ジャッキ装置１４を位置決めし、且つ４体の移動ジャッキ装置１４が同期して回転移動するように一体として連結する４本の繋ぎ部材１６ａ、１６ｂとからなる。【選択図】図１
2011162945.tif 000002
【特許請求の範囲】
【請求項１】
橋桁を支持する橋脚の張出し梁部を構築する際に、前記橋脚の柱部の周囲に組み立てられた支持架台の上端部に設置されて、前記張出し梁部を構築する際の足場となる支保構造体を回転可能に支持する橋脚の張出し梁部施工用回転支持構造であって、
前記支持架台に支持されて、前記橋脚の柱部を内側に配置した状態で円環状に取り付けられる回転レール部材と、該回転レール部材に沿って回転移動可能に設けられた４体の移動ジャッキ装置と、該４体の移動ジャッキ装置が前記回転レール部材に内接する仮想の正方形又は長方形の角部分に配置されるように各移動ジャッキ装置を位置決めし、且つ前記４体の移動ジャッキ装置が同期して回転移動するようにこれらを一体として連結する４本の繋ぎ部材とからなり、
前記４体の移動ジャッキ装置は、各々、前記回転レール部材に沿って回転移動する車輪部と、上下方向に進退するジャッキ部と、該ジャッキ部の上端部に一体固定された支保受けベース部とを含んで構成されており、
前記橋桁の延設方向に沿って組み立てた前記支保構造体を、前記４体の移動ジャッキ装置のジャッキ部を伸長することで前記支保受けベース部に支持させた状態で、前記４体の移動ジャッキ装置を回転レール部材に沿って回転移動させて、前記橋桁の延設方向と交差する所定の方向に前記支保構造体を配置した後に、前記ジャッキ部を収縮することで、前記桁受けベース部に支持させた前記支保構造体を予め組み立てられた支保受け支持架台に受け渡す橋脚の張出し梁部施工用回転支持構造。
【請求項２】
前記４本の繋ぎ部材は、前記回転レール部材に沿った円環形状を前記４体の移動ジャッキ装置と共に形成する、円弧形状を有している請求項１記載の橋脚の張出し梁部施工用回転支持構造。
【発明の詳細な説明】
【技術分野】
【０００１】
本発明は、橋桁を支持する橋脚の張出し梁部を構築する際に採用される橋脚の張出し梁部施工用回転支持構造に関する。
【背景技術】
【０００２】
道路や鉄道を形成するための橋桁を支持する橋脚は、例えば鉛直に立設する柱部と、柱部の上端部から両側に張り出す張出し梁部とからなる略Ｔ字形状を有するように構築されるのが一般的である。このような略Ｔ字形状の橋脚を鉄筋コンクリートによって構築する場合、例えば基礎杭に支持されるフーチング部から立設して柱部を構築した後に、張出し梁部を構築する際の足場となる仮設の支保構造を、張出し梁部の直下部分の地盤面から立ち上げるように組み立て、組み立てた仮設の支保構造の上で型枠の組立作業や鉄筋の配筋作業等を行って、柱部と一体化させて張出し梁部を構築するようになっている。
【０００３】
また、道路や鉄道は、例えば既存の道路の上方に高架橋として構築されることがあり、このような場合には、既存の道路での交通を確保しつつ、限られた作用ヤードの中で、橋脚の構築工事や橋桁の設置工事を行う必要を生じることになる。
【０００４】
一方、例えば略Ｔ字形状の橋脚を鉄筋コンクリートによって構築する工事では、柱部を構築した後、張出し梁部を構築する工程を行う際に、足場となる仮設の支保構造を張出し梁部の直下部分の地盤面から立ち上げて組み立てると、特に既存の道路の上方に張出し梁部を設ける工事の場合には、長期間に亘って大掛かりな交通規制が必要になると共に、道路交通に支障をきたすことになる。このようなことから、仮設の支保構造を張出し梁部の直下部分の地盤面から立ち上げることを不要にした、回転支保工による橋脚の張出し梁施工法が開発されている（例えば、特許文献１参照）。
【先行技術文献】
【特許文献】
【０００５】
【特許文献１】特公昭５８−３６１２２号公報
【特許文献２】特公昭５８−４２３２３号公報
【発明の概要】
【発明が解決しようとする課題】
【０００６】
特許文献１に記載の張出し梁施工法では、柱部の周囲に設けた支持架台に回転可能に支持させた状態で、回転支保梁を支保構造体として設置し、この回転支保梁を道路と平行な方向に延設するように配置して防護工や足場工等を行った後に、回転支保梁を予め定めた所定の位置まで回転させて、道路の幅員方向に延設する位置で固定し、固定した回転支保梁の上で張出し梁部の配筋、型枠組立及びコンクリートの打設を行って、例えば略Ｔ字形状の橋脚の張出し梁部を構築する。これによって、道路の幅員方向に延設して固定された回転支保梁の下方における道路交通を確保したまま、張出し梁部の構築作業を行うことが可能になると共に、コンクリートの養生後に回転支保梁を再び回転させて道路と平行な方向に復帰させれば、作用ヤードの中で回転支保梁等を解体することが可能になる。
【０００７】
しかしながら、特許文献１によれば、実施可能なアイデアとして張出し梁部の施工方法が提案されているが、支持架台の上部に設置した回転支保梁を安定した状態で回転させるための回転支持構造については、具体的には記載されていない。これに対して、支保構造体としての桁受梁を回転可能に設けてコンクリート製の橋脚の張出し梁部を構築できるようにした回転支保工施工機も開発されているが（例えば、特許文献２参照）、特許文献２の回転支保工施工機は、構成が複雑で高価であると共に、実際の工事現場に適用するには種々の解決すべき課題がある。したがって、特許文献１に記載の張出し梁部の施工方法を施工現場において無理なく実施可能とする新たな技術の開発が望まれている。
【０００８】
本発明は、橋脚の張出し梁部を構築する際の足場となる支保構造体を、橋脚の柱部の周囲で安定した状態でスムーズに回転させることができると共に、簡易な構成を備えることにより、橋脚の施工現場で無理なく採用することのできる橋脚の張出し梁部施工用回転支持構造を提供することを目的とする。
【課題を解決するための手段】
【０００９】
本発明は、橋桁を支持する橋脚の張出し梁部を構築する際に、前記橋脚の柱部の周囲に組み立てられた支持架台の上端部に設置されて、前記張出し梁部を構築する際の足場となる支保構造体を回転可能に支持する橋脚の張出し梁部施工用回転支持構造であって、前記支持架台に支持されて、前記橋脚の柱部を内側に配置した状態で円環状に取り付けられる回転レール部材と、該回転レール部材に沿って回転移動可能に設けられた４体の移動ジャッキ装置と、該４体の移動ジャッキ装置が前記回転レール部材に内接する仮想の正方形又は長方形の角部分に配置されるように各移動ジャッキ装置を位置決めし、且つ前記４体の移動ジャッキ装置が同期して回転移動するようにこれらを一体として連結する４本の繋ぎ部材とからなり、前記４体の移動ジャッキ装置は、各々、前記回転レール部材に沿って回転移動する車輪部と、上下方向に進退するジャッキ部と、該ジャッキ部の上端部に一体固定された支保受けベース部とを含んで構成されており、前記橋桁の延設方向に沿って組み立てた前記支保構造体を、前記４体の移動ジャッキ装置のジャッキ部を伸長することで前記支保受けベース部に支持させた状態で、前記４体の移動ジャッキ装置を回転レール部材に沿って回転移動させて、前記橋桁の延設方向と交差する所定の方向に前記支保構造体を配置した後に、前記ジャッキ部を収縮することで、前記桁受けベース部に支持させた前記支保構造体を予め組み立てられた支保受け支持架台に受け渡す橋脚の張出し梁部施工用回転支持構造を提供することにより、上記目的を達成したものである。
【００１０】
また、本発明の橋脚の張出し梁施工用回転支持構造は、前記４本の繋ぎ部材が、前記回転レール部材に沿った円環形状を前記４体の移動ジャッキ装置と共に形成する、円弧形状を有していることが好ましい。
【発明の効果】
【００１１】
本発明の橋脚の張出し梁部施工用回転支持構造によれば、橋脚の張出し梁部を構築する際の足場となる支保構造体を、橋脚の柱部の周囲で安定した状態でスムーズに回転させることができると共に、簡易な構成を備えることにより、橋脚の施工現場で無理なく採用することができる。
【図面の簡単な説明】
【００１２】
【図１】本発明の好ましい一実施形態に係る橋脚の張出し梁部施工用回転支持構造によって支保構造体を回転させる状況を説明する斜視図である。
【図２】（ａ），（ｂ）は、本発明の好ましい一実施形態において橋脚を構築する工程を説明する略示断面図である。
【図３】本発明の好ましい一実施形態において作用ヤードの両側の車線を規制して支保構造体を回転させる状況を説明する平面図である。
【図４】本発明の好ましい一実施形態に係る橋脚の張出し梁部施工用回転支持構造の構成を説明する、橋桁の延設方向から見た正面図である。
【図５】本発明の好ましい一実施形態に係る橋脚の張出し梁部施工用回転支持構造の構成を説明する上面図である。
【図６】（ａ）は移動ジャッキ装置の上面図、（ｂ）は移動ジャッキ装置の側面図である。
【発明を実施するための形態】
【００１３】
本発明の好ましい一実施形態に係る橋脚の張出し梁部施工用回転支持構造１０は、図１に示すように、例えば既存の道路の上方に、新設の道路を高架橋によって形成する工事において、高架橋の橋桁（図示せず）を支持する橋脚３０の張出し梁部３１を構築する際に、既存の道路を全面通行止めにすることなく、一部の車線での車両の通行を確保したまま張出し梁部３１を構築できるように、張出し梁部３１の施工時の足場となる支保構造体１１を、簡易な構成によって支持架台１２の上部において安定した状態でスムーズに回転させることができるようにするために採用されたものである。
【００１４】
すなわち、本実施形態では、図２（ａ），（ｂ）及び図３に示すように、橋脚３０の構築工事は、例えば２車線の上り車線３３ａと、２車線の下り車線３３ｂとの間の道路の中央部分に、これらの車線３３ａ，３３ｂに沿った作業ヤード３４を設けて施工するようになっており、作業ヤード３４から車線３３ａ，３３ｂにはみ出して構築される橋脚３０の張出し梁部３１を、これの直下部分の地盤面から仮設の支保構造を組み立てることなく、作業ヤード３４内の作業によって組み付けた支保構造体１１を回転させることで、張出し梁部３１の下方における車両の通行を確保したまま橋脚３０の張出し梁部３１を構築するようになっている。
【００１５】
なお、本実施形態では、橋脚３０の構築工事は、上り車線３３ａと下り車線３３ｂとの間の作業ヤード３４において、図２（ａ）に示すように、基礎杭３５の打設、フーチング部分の基礎地盤の開削、フーチング３６の構築、柱部３２の構築等の各種の工事が行なわれるようになっており、張出し梁施工用回転支持構造１０は、図２（ｂ）に示すように、橋脚３０の柱部３２を構築した後に、張出し梁部３１を構築する際に用いられることになる。
【００１６】
そして、本実施形態の橋脚の張出し梁施工用回転支持構造１０は、図１に示すように、橋桁を支持する橋脚３０の張出し梁部３１を構築する際に、橋脚３０の柱部３２の周囲に組み立てられた支持架台１２の上端部に設置されて、張出し梁部３１を構築する際の足場となる支保構造体１１を回転可能に支持する回転支持構造であって、図４及び図５にも示すように、支持架台１２に支持されて、橋脚３０の柱部３２を内側に配置した状態で円環状に取り付けられる回転レール部材１３と、この回転レール部材１３に沿って回転移動可能に設けられた４体の移動ジャッキ装置１４と、これらの４体の移動ジャッキ装置１４が回転レール部材１３に内接する仮想の長方形１５（図５参照）の角部分に配置されるように各移動ジャッキ装置１４を位置決めし、且つ４体の移動ジャッキ装置１４が同期して回転移動するようにこれらを一体として連結する４本の繋ぎ部材１６ａ、１６ｂとからなる。
【００１７】
４体の移動ジャッキ装置１４は、図６（ａ），（ｂ）に示すように、各々、回転レール部材１３に沿って回転移動する車輪部１７と、上下方向に進退するジャッキ部１８と、ジャッキ部１８の上端部に一体固定された支保受けベース部１９とを含んで構成されている。橋桁の延設方向Ｘ（図３参照）に沿って組み立てた支保構造体１１を、４体の移動ジャッキ装置１４のジャッキ部１８を伸長することで支保受けベース部１９に支持させた状態で、４体の移動ジャッキ装置１４を回転レール部材１３に沿って回転移動させて（図１参照）、橋桁の延設方向Ｘと交差する所定の方向として、例えば橋桁の延設方向Ｘと垂直な方向Ｙ（図３参照）に支保構造体１１を配置した後に、ジャッキ部１８を収縮することで、支保受けベース部１９に支持させた支保構造体１１を予め組み立てられた支保受け支持架台２０に受け渡すようになっている（図４参照）。
【００１８】
また、本実施形態では、４本の繋ぎ部材１６ａ，１６ｂは、回転レール部材１３に沿った円環形状を４体の移動ジャッキ装置１４と共に形成する、円弧形状を有している（図６参照）。
【００１９】
本実施形態では、回転レール部材１３を支持する支持架台１２は、図１及び図２（ｂ）に示すように、作業ヤード３４において橋脚３０の柱部３２がこれの上端部分を除いて構築された後に、柱部３２の周囲の地盤面に支持させて組み立てることによって設置される。すなわち、支持架台１２は、図４にも示すように、例えばＨ形鋼等の鋼材を用いて、例えば地盤面に形成したベースコンクリート３７の上に円環状ベース部１２ａを設置すると共に、円環状ベース部１２ａから鉛直に立設させて、複数本の支持柱１２ｂを周方向に所定の間隔をおいて溶着接合やボルト接合等を介して組み付け、必要に応じてこれらの支持柱１２ｂの上端部を頭つなぎ材で連結することによって容易に形成することができる。形成された支持架台１２の上端部には、複数本の支持柱１２ｂに跨るようして、回転レール部材１３が、橋脚３０の張出し梁部３１を内側に配置した状態で（図１参照）円環状に取り付けられる。
【００２０】
回転レール部材１３は、例えばＨ形鋼からなり、フランジ面を上下に配置して、例えば下方のフランジ面を溶着接合やボルト接合等によって支持架台１２の支持柱１２ｂの上端部に接合固定することで、支持架台１２に支持させた状態で容易に設置することができる。回転レール部材１３は、例えば弧状に湾曲加工した複数本の分割レール部材を、周方向に連設配置すると共に、溶着接合やボルト接合等によって互いに連結することで、橋脚５１の張出し梁部３１を内側に配置した状態で、支持架台１２の上端部に円環状に一体として固定されることになる。回転レール部材１３の上方のフランジ面は、移動ジャッキ装置１４の車輪部１７の走行面となる。
【００２１】
回転レール部材１３に沿って回転移動可能に設けられる４体の移動ジャッキ装置１４は、各々、図６（ａ），（ｂ）に示すように、移動車体部２１に一体として設けられた、車輪部１７と、ジャッキ部１８と、支保受けベース部１９とを含んで構成される。移動車体部２１は、例えば鋼製の外殻体であって、左右一対の側面板と、前後一対の端面板と、上面板とからなり、下面が開放されたボックス形状に形成される。移動車体部２１には、後述する繋ぎ部材１６ａ，１６ｂの端部が、溶着接合やボルト接合等を介して接合固定される。
【００２２】
車輪部１７は、移動車体部２１の両側の側面板に跨って取り付けられた車軸の両端部に回転可能に一対ずつ支持された状態で、各移動ジャッキ装置１４の前後に二組づつ設けられる。車輪部１７は、移動車体部２１に設けられた回転装置２２からの駆動力によって、回転レール部材１３の上方のフランジ面に沿って回転移動できるようになっている。
【００２３】
ジャッキ部１８は、例えば３５ton程度の中揚程の電動式のジャーナルジャッキからなり、移動車体部２１の上面板に取り付けた鋼製の基盤部２３から立設して取り付けられる。ジャッキ部１８は、昇降用モーター２４からの駆動力によって伸縮し、ジャッキ部１８の上端部に一体固定された支保受けベース部１９を上下に進退させる。
【００２４】
支保受けベース部１９は、例えば２２ｍｍ程度の相当の厚さを有する鋼製プレートからなり、縦横３００ｍｍ×４００ｍｍ程度の矩形形状に形成されていて、これの上面に支保構造体１１を構成する例えばＩ形鋼からなる主桁２５の下方フランジ面を密着させつつ、支保構造体１１を安定した状態で載置できるようになっている。また、支保受けベース部１９には、複数のボルト締着孔が分散配置されて貫通形成されており、密着載置した主桁２５の下方フランジ面との間でボルト部材を締着することにより、桁受けベース部１９と主桁２５とを、着脱可能に強固に固定することができるようになっている。
【００２５】
なお、本実施形態では、回転装置２２による車輪部１７の回転移動や、昇降用モーター２４によるジャッキ部１８の伸縮は、制御盤からの操作によって容易に制御することができるようになっている。
【００２６】
繋ぎ部材１６ａ，１６ｂは、例えば中空の箱形断面を有する箱形鋼製部材からなり、図１及び図５に示すように、円環状の回転レール部材１３の曲率半径と同様の曲率半径を有する円弧形状となるように、湾曲加工されて形成される。繋ぎ部材１６は、２本の長尺繋ぎ部材１６ａと２本の短尺繋ぎ部材１６ｂとからなり、これらを各々対向配置した状態で、両端部を移動ジャッキ装置１４の移動車体部２１の前後両側の端面に各々接合固定することで、４本の繋ぎ部材１６ａ，１６ｂは、４体の移動ジャッキ装置１４と共に、回転レール部材１３の円環形状と略同じ平面形状の円環状移動装置２６を構成することになる。
【００２７】
すなわち、本実施形態では、支持架台１２に支持された回転レール部材１３の上方に、当該回転レール部材１３と略同じ円環形状を有する、４本の繋ぎ部材１６ａ，１６ｂと４体の移動ジャッキ装置１４とからなる円環状移動装置２６が、回転レール部材１３に沿って回転移動可能に設置されることになる（図４参照）。また、４体の移動ジャッキ装置１４は、４本の繋ぎ部材１６ａ，１６ｂを介在させることで、回転レール部材１３に内接する仮想の長方形１５（図５参照）の４箇所の角部分に各々配置されるように位置決めされると共に、４体の移動ジャッキ装置１４は、回転レール部材１３の周方向に、同期して一体として回転移動することになる。なお、図５では、４体の移動ジャッキ装置１４と４本の繋ぎ部材１６とによる円環状移動装置２６のみが描かれているが、これの下方には、仮想の長方形１５が内接する、略同じ円環平面形状の回転レール部材１３が隠れるようにして重ねて配置されている。
【００２８】
また、本実施形態では、上述の支持架台１２や張出し梁部施工用回転支持構造１０を組み立てた後に、或いはこれらの組立作業と並行して、図１及び図４に示すように、組立時や回転後の支保構造体１１を支持する支保受け支持架台２０を組み立てる作業が行われる。支保受け支持架台２０は、回転レール部材１３を支持する支持架台１２と同様に、作業ヤード３４において橋脚３０の柱部３２が構築された後に、例えばＨ形鋼等の鋼材を用いて、柱部３２の周囲の地盤面に支持させて組み立てることによって設置される。
【００２９】
すなわち、例えば地盤面に形成したベースコンクリート３７の上にベース部２０ａを設置すると共に、ベース部２０ａから鉛直に立設させて、複数本の支持柱２０ｂを溶着接合やボルト接合等を介して組み付け、さらに梁部材２０ｃや斜材２０ｄやブラケット部材２０ｅを組み付けることで、支保受け支持架台２０を、好ましくは回転支持構造１０を支持する支持架台１２との干渉を避けて、円環状移動装置２６や支保構造体１１の回転移動に支障が無い状態で形成する。なお、支持架台１２を構成する鋼材と支保受け支持架台２０を構成する鋼材とを、連結部材を介して適宜連結することで、互いの構造を相互に補強することもできる。
【００３０】
そして、上述の構成を有する張出し梁部施工用回転支持構造１０を用いて、橋脚３０の張出し梁部３１を構築するには、まず、両側の車線３３ａ，３３ｂの間に設けられた橋桁の延設方向Ｘに沿った作業ヤード５４において、支保構造体１１を、作業ヤード５４からはみ出させることなく、図３に示すように、橋桁の延設方向Ｘに沿うように組み付ける。すなわち、上述のようにして組み立てた支保受け支持架台２０の上端部において、例えば橋桁の延設方向Ｘと垂直な方向に設置された梁部材を受桁として支持させて、支保構造体１１の主桁２５を、橋脚３０の柱部３２を挟んだ両側に平行に配置して、橋桁の延設方向Ｘに延設させて一対設置する。この際に、主桁２５が回転支持構造１０の円環状移動装置２６の上方を横切る部分では、主桁２５の下方フランジ面の直下部分に、４体の移動ジャッキ装置１４の支保受けベース部１９が各々配置されるように、一対の主桁２５及び円環状移動装置２６の位置調整が行われる。
【００３１】
ここで、主桁２５を所定の長さで張り出させるために、支保受け支持架台２０の上端部に設置された部分からさらに延長させて、Ｉ形鋼を両側に継ぎ足して行く際には、例えば作業ヤード５４における橋脚３０の柱部３２を挟んだ橋桁の延設方向Ｘの両側に、仮置き用の補助支持架台を設けて、継ぎ足されるＩ形鋼をこの補助支持架台に仮置きした状態で継ぎ足して行くことにより、主桁２５の継ぎ足し作業を容易に行うことができる。
【００３２】
支保受け支持架台２０に支持させて主桁２５を設置したら、設置した主桁２５を基礎足場としてこれの上方に横桁２７や縦桁２８を取り付けて支持足場を形成すると共に、その他の防護工や足場工等を施して、張出し梁部３１を構築する際の足場となる支保構造体１１が、作業ヤード５４での作業によって、長手方向を橋桁の延設方向Ｘに沿わせた状態で、支両側の車線３３ａ，３３ｂを規制することなく組み立てられることになる。
【００３３】
支保構造体１１を組み立てたら、次に、組み立てた支保構造体１１を９０度回転させて、これの長手方向が橋桁の延設方向Ｘと垂直な方向Ｙに沿うように配置すると共に、９０度回転させた状態で、支保構造体１１を支保受け支持架台２０に受け渡して、当該支保受け支持架台２０によって支保構造体１１を支持させる。
【００３４】
これらの作業は、支保受け支持架台２０に支持されて橋桁の延設方向Ｘに沿うように組み立てられた支保構造体１１を、円環状移動装置２６の４体の移動ジャッキ装置１４のジャッキ部１８を伸長して、支保受けベース部１９の上面に主桁２５を載置させることで支保受け支持架台２０から僅かに持ち上げ、持ち上げた状態のまま、図１に示すように、各移動ジャッキ装置１４の車輪部１７を駆動して円環状移動装置２６を回転レール部材１３の上方のフランジ面に沿って回転移動させ、支保構造体１１を橋脚３０の柱部３２を中心として延設方向Ｘと垂直な方向Ｙに沿うように９０度に回転させることによって容易に行なうことができる。また、延設方向Ｘと垂直な方向Ｙに沿うように支保構造体１１を配設したら、移動ジャッキ装置１４のジャッキ部１８を収縮することで支保構造体１１を下降させて、支保受け支持架台２０のブラケット部材２０ｅを含む垂直方向の支持部分に受け渡すことにより、支保構造体１１を支保受け支持架台２０によって容易に支持させることができる。
【００３５】
ここで、これらの作業は、例えば図３に示すように、２車線の上り車線３３ａ及び２車線の下り車線３３ｂの内、内側の車線のみを規制し、これらの規制車線部分２９に補助重機等を設置して、外側の車線での車両の通交を確保したまま、安全に行うことができる。また、これらの作業は、例えば移動ジャッキ装置１４の支保受けベース部１９の上面に主桁２５を載置してから、支保構造体１１を回転移動させて支保受け支持架台２０に受け渡すまでの施工時間を、例えば４〜５分程度の短時間として、容易に行うことが可能になる。
【００３６】
そして、支保受け支持架台２０に受け渡された支保構造体１１は、溶着接合やボルト接合等によって支保受け支持架台２０に安定した状態で支持固定されると共に、支持固定された支保構造体１１の上で、下方の車線３３ａ，３３ｂの交通に影響を及ぼすことなく、配筋、型枠組立及びコンクリートの打設等の作業を行って、柱部３２の上端部分と共に張出し梁部３１を構築することが可能になる。また、コンクリートの養生後に、支保受け支持架台２０への固定を解除して、支保構造体１１を、移動ジャッキ装置１４の支保受けベース部１９の上面に載置した状態で再び回転させて、橋桁の延設方向Ｘに沿う方向に復帰させれば、作業ヤード５４の中で、車線３３ａ，３３ｂの交通に影響を及ぼすことなく、支保構造体１１等を解体することが可能になる。
【００３７】
すなわち、本実施形態の張出し梁部施工用回転支持構造１０によれば、橋脚３０の張出し梁部３１を構築する際の足場となる支保構造体１１を、橋脚３０の柱部３２の周囲で安定した状態でスムーズに回転させることができると共に、回転レール部材１３と４体の移動ジャッキ装置１４と４本の繋ぎ部材１６ａ、１６ｂとからなる簡易な構成を備えることにより、橋脚３０の施工現場で無理なく採用することができる。
【００３８】
なお、本発明は上記実施形態に限定されることなく種々の変更が可能である。例えば、４体の移動ジャッキ装置を連結する４本の繋ぎ部材は、円弧形状を有している必要は必ずしもなく、柱部の周囲における回転に支障が無ければ、直線状等の部材であっても良い。また、本発明の回転支持構造は、既存の道路の上方に新設の道路を高架橋によって形成する工事の他、柱部と張出し梁部とからなる、橋桁を支持するその他の様々な橋脚（略Ｌ字形の橋脚を含む）を構築する際にも採用することができる。
【符号の説明】
【００３９】
１０  橋脚の張出し梁部施工用回転支持構造
１１  支保構造体
１２  支持架台
１３  回転レール部材
１４  移動ジャッキ装置
１５  回転レール部材に内接する仮想の長方形
１６ａ  長尺繋ぎ部材
１６ｂ  短尺繋ぎ部材
１７  車輪部
１８  ジャッキ部
１９  支保受けベース部
２０  支保受け支持架台
２１  移動車体部
２２  回転装置
２３  底盤部
２４  昇降用モーター
２５  主桁
２６  円環状移動装置
２７  横桁
２８  縦桁
２９  規制車線部分
３０  橋脚
３１  張出し梁部
３２  柱部
３３ａ  上り車線
３３ｂ  下り車線
３４  作業ヤード
Ｘ    橋桁の延設方向
Ｙ    橋桁の延設方向と垂直な方向
【図１】
2011162945.tif 000003
【図２】
2011162945.tif 000004
【図３】
2011162945.tif 000005
【図４】
2011162945.tif 000006
【図５】
2011162945.tif 000007
【図６】
2011162945.tif 000008